(57)【要約】【課題】係員がロール紙を直に触れないで補充するための手段を提供する。【解決手段】ロール紙を繰出す媒体繰出部と、媒体繰出部にロール紙を移動させるアームを有する媒体供給部とを備えた媒体処理装置において、ロール紙を収納する収納部と、収納部の開口の両側からロール紙を挟みつけるように突出した弾性材製の保持片とを有する収納箱を設け、収納部をアームと対向させて媒体供給部に挿入し、ロール紙をアームに載置することができるようにしたことを特徴とする。【選択図】        図５
2006176298.tif 000002
【特許請求の範囲】
【請求項１】
ロール紙を繰出す媒体繰出部と、該媒体繰出部にロール紙を移動させるアームを有する媒体供給部とを備えた媒体処理装置において、
前記ロール紙を収納する収納部と、該収納部の開口の両側から前記ロール紙を挟みつけるように突出した弾性材製の保持片とを有する収納箱を設け、  
前記収納部を前記アームと対向させて前記媒体供給部に挿入し、ロール紙を前記アームに載置することができるようにしたこと特徴とする媒体処理装置。
【請求項２】
請求項１において、
前記媒体供給部の内側の側面に位置決め部を設け、
前記収納箱の外側の側面に前記位置決め部に嵌合する嵌合部を設けたことを特徴とする媒体処理装置。
【請求項３】
請求項１または請求項２において、
前記収納部を塞ぎ、前記収納部に対向してロール紙を押さえる押さえ部を備えた蓋を設けたことを特徴とする媒体処理装置。
【請求項４】
請求項１、請求項２または請求項３において、
前記収納箱と前記蓋の接触部に、前記蓋と前記収納箱とを着脱可能に係合させる係止部材を設けたことを特徴とする媒体処理装置。
【発明の詳細な説明】
【技術分野】
【０００１】
本発明は、金融機関の自動取引装置等に備えられ、顧客にレシート等を発行する媒体処理装置に関する。
【背景技術】
【０００２】
従来の媒体処理装置は、媒体供給部に予備のロール紙が無いときにランプを点灯して係員にロール紙の補充を報知し、これを受けた係員が媒体供給部にロール紙を補充している（例えば、特許文献１参照。）。
【特許文献１】特開２０００−２０３７４５号公報（段落００４５、第１図）
【発明の開示】
【発明が解決しようとする課題】
【０００３】
一般に媒体処理装置に補充されるロール紙は１巻ずつビニールに梱包されてダンボール箱に入れられて保管され、係員はダンボール箱からロール紙を取り出して梱包されているビニールを外し、媒体供給部に補充している。
しかしながら、上述した従来の技術においては、係員はロール紙を直に手に持って媒体供給部に補充するため、係員の手の汚れがロール紙に付着したり、ロール紙の巻き状態が崩れて印字後のロール紙が折れ曲がって排出されたり、紙詰まりによって排出できない等の障害を起こす原因になるという問題がある。
【０００４】
本発明は、上記の問題点を解決するためになされたもので、係員がロール紙を直に触れないで補充するための手段を提供することを目的とする。
【課題を解決するための手段】
【０００５】
本発明は、上記課題を解決するために、ロール紙を繰出す媒体繰出部と、該媒体繰出部にロール紙を移動させるアームを有する媒体供給部とを備えた媒体処理装置において、前記ロール紙を収納する収納部と、該収納部の開口の両側から前記ロール紙を挟みつけるように突出した弾性材製の保持片とを有する収納箱を設け、前記収納部を前記アームと対向させて前記媒体供給部に挿入し、ロール紙を前記アームに載置することができるようにしたことを特徴とする。
【発明の効果】
【０００６】
これにより、本発明は、収納箱を引き抜いたときにロール紙の重みで保持片が外側に開いてロール紙をアームの上に載置されることができ、係員がロール紙を直に触れないで媒体供給部にロール紙を補充することができるという効果が得られる。
【発明を実施するための最良の形態】
【０００７】
以下に、図面を参照して本発明による媒体処理装置の実施例について説明する。
【実施例１】
【０００８】
図１は実施例のレシート発行機を示す概略構成図、図２は実施例のレシート発行機を備えた自動取引装置を示すブロック図、図３は実施例の媒体供給部を示す上面図、図４は実施例のロール紙梱包箱を示す斜視図、図５は実施例のロール紙梱包箱を側方から見た断面図、図６は実施例の収納箱を側方から見た断面図、図７は実施例の収納箱を設置した媒体供給部を側方から見た断面図、図８は実施例の収納箱を設置した媒体供給部を上方から見た断面図である。
【０００９】
図１、図２において、１は媒体処理装置としてのレシート発行機であり、後述する自動取引装置１８に装着されている。
２はレシート発行機１の発行機制御部であり、レシート発行機１の各部を制御してレシートの発行処理等を行う。
３は発行機記憶部であり、発行機制御部２が実行するプログラムやそれに用いる各種のデータおよび発行機制御部２による処理結果等が格納される。
【００１０】
４は媒体繰出部であり、プーリ５、６に巻き掛けられたベルト７と、ベルト７に載置された感熱紙であるロール紙Ｐの繰出方向の前方に配置された分離ガイド８と、ベルト７上のロール紙Ｐの有無を検知する光学式の残留検知センサ９とにより構成される。
媒体繰出部４の分離ガイド８は、その先端が常にロール紙Ｐに接触しており、ベルト７の回転に伴って回転するロール紙Ｐの先端を分離して媒体搬送路１０へ繰出す機能を有している。
【００１１】
媒体搬送路１０は、媒体繰出部４からレシート排出口１３に向けてロール紙Ｐを搬送する搬送路である。
１１はレシート印字部であり、熱転写式等の印字ヘッドを有し、搬送されたロール紙Ｐに取引の内容等を印字する。
１２はロール紙切断部であり、印字されたロール紙Ｐをレシートの長さに切断する。
【００１２】
１３はレシート排出口であり、ロール紙切断部１２により切断されたレシートを排出する。
１４は媒体供給部であり、媒体繰出部４に隣接して媒体搬送路１０の反対側に設置され、図示しない駆動機構によって支点１５ａを中心に回転するアーム１６ａと、支点１５ｂを中心に回転するアーム１６ｂとが所定の間隔で配置され、それぞれのアーム１６ａ、１６ｂにはロール紙Ｐの有無を検知する残留検知センサ９と同様の機能を有する残留検知センサ１７ａ、１７ｂが設置されている。
【００１３】
アーム１６ａ、１６ｂにはロール紙Ｐが載置されており、ベルト７上のロール紙Ｐが無くなるとアーム１６ａが支点１５ａを中心に回転してその上に載置されているロール紙Ｐをベルト７の上に移動させて補充し、アーム１６ｂが支点１５ｂを中心に回転してその上に載置されているロール紙Ｐをアーム１６ａの上に移動させる。
１８は例えば金融機関に設置された上位装置としての自動取引装置であり、前記レシート発行機１が着脱可能に装着される装置の一例である。
【００１４】
１９は自動取引装置１８の主制御部であり、自動取引装置１８の各部を制御して取引処理を実行すると共に、発行機制御部２と接続してレシートの印字指示等を行う。
２０は主記憶部であり、主制御部１９が実行するプログラムやそれに用いる各種のデータおよび主制御部１９による処理結果等が格納される。
２１は係員用表示操作部であり、自動取引装置１８の状態やレシート発行機１の媒体供給部１４のロール紙Ｐの有無を表示する画面等を表示する。
【００１５】
図３において、２２は媒体供給部１４の側面板であり、ロール紙Ｐの繰出方向と平行に設けられる。
２３は媒体供給部１４のガイド板であり、側面板２２と対向配置され、その内側には後述する嵌合部３９が嵌合する位置決め部２４が設けられる。
図４、図５において、３０はロール紙梱包箱であり、収納箱３１と蓋４０とにより構成される。
【００１６】
収納箱３１は樹脂材料で製作され、内部にロール紙Ｐを収納するために底面を図５において下に凸の略円孤面とした収納部３２ａ、３２ｂが媒体供給部１４のアーム１６ａ、１６ｂと同間隔で配置され、収納部３２ａ、３２ｂの開口の両側には天然ゴムや合成ゴム等の弾性材料で製作され、収納部３２ａ、３２ｂに収納されたロール紙Ｐを長手方向に挟みつけるように向かい合わせに斜めに突出する一対の保持片３３ａ、３３ｂおよび保持片３４ａ、３４ｂが形成される。
【００１７】
これにより、収納部３２ａ、３２ｂに収納されたロール紙Ｐは、保持片３３ａ、３３ｂ、３４ａ、３４ｂの弾性により両側から挟みつけられた状態で保持される。
収納箱３１の外側の面は、収納部３２ａ側に設けられたフロント面３５と収納部３２ｂ側に設けられたリア面３６、フロント面３５とリア面３６との一方の側方に設けられたサイド面３７と他方の側方に設けられた嵌合サイド面３８とで構成される。
【００１８】
嵌合サイド面３８には、収納部３２ａ、３２ｂの深さ方向に嵌合部３９が形成され、上記位置決め部２４に嵌合する。本実施例では、嵌合部３９は嵌合サイド面３８の略中央部に設けられている。
蓋４０は、樹脂材料で製作され、その内側の収納部３２ａ、３２ｂに対向する位置にロール紙Ｐを押さえるための押さえ部４１ａ、４１ｂが形成されており、収納箱３１を塞ぐように設置される。
【００１９】
４２は係止部材としての面ファスナであり、フック状係合部材とループ状係合部材とを係合させて着脱可能に構成されたテープ状部材であり、収納箱３１と蓋４０との接触部に設けられて収納箱３１と蓋４０とを着脱可能に組み付ける。
ロール紙Ｐの収納箱３１への収納は、蓋４０を組み付けていない収納箱３１の保持片３３ａ、３３ｂを外側に開いてロール紙Ｐを収納部３２ａに載せ、保持片３４ａ、３４ｂを外側に開いてロール紙Ｐを収納部３２ｂに載せることによって行われる。
【００２０】
そして、保持片３３ａ、３３ｂ、３４ａ、３４ｂの弾性によりロール紙Ｐを保持した状態で、押さえ部４１ａ、４１ｂによってロール紙Ｐを押さえるようにして蓋４０を収納箱３１に組付け、ロール紙梱包箱３０の状態でロール紙Ｐが保管される。
上述したレシート発行機１にロール紙Ｐの補充を行う方法について説明する。
顧客との取引を行った自動取引装置１８の主制御部１９は、その取引の内容をレシートに印字して排出するために取引の内容をレシート発行機１の発行機制御部２に送信する。
【００２１】
取引の内容を受信した発行機制御部２は、媒体繰出部４から繰出したロール紙Ｐを媒体搬送路１０によって搬送し、ロール紙Ｐを所定の位置に位置させ、レシート印字部１１によって主制御部１９から受信した取引の内容をロール紙Ｐに印字し、そのロール紙Ｐをロール紙切断部１２によって切断し、レシートとしてレシート排出口１３から排出する。
レシートが排出された後、発行機制御部２は残留検知センサ９によってベルト７上にロール紙Ｐが載置されていないと判断すると、媒体供給部１４のアーム１６ａに載置されているロール紙Ｐをベルト７の上に移動させる。
【００２２】
そして、発行機制御部２は残留検知センサ１７ａ、１７ｂによりアーム１６ａ、１６ｂの上にロール紙Ｐが載置されていないと判断すると、係員用表示操作部２１にロール紙Ｐの補充が必要である旨の文言を表示する。
係員は、この表示を確認して自動取引装置１８からレシート発行機１を引出し、ロール紙梱包箱３０から蓋４０を取り外して収納箱３１を開放し、保持片３３ａ、３３ｂ、３４ａ、３４ｂを下向きにした、つまり反転させた収納箱３１の保持片３３ａ、３４ｂに手を添えながら嵌合サイド面３８の嵌合部３９をガイド板２３の位置決め部２４に嵌合させて媒体供給部１４に挿入し、図７に示すように収納部３２ａ、３２ｂのロール紙Ｐをアーム１６ａ、１６ｂに載置する。
【００２３】
そして、係員がロール紙Ｐを落とすように収納箱３１を媒体供給部１４から徐々に持ち上げると、ロール紙Ｐの重みで徐々に収納部３２ａ、３２ｂの外側に開いていく保持片３３ａ、３３ｂ、３４ａ、３４ｂからロール紙Ｐが抜け、収納箱３１が媒体供給部１４から引き抜かれたときにアーム１６ａ、１６ｂの上にロール紙Ｐが載置される。
以上説明したように、本実施例では、ロール紙梱包箱の蓋を取り外して収納箱を開放し、その収納箱を反転させて媒体供給部に挿入し、収納箱を引き抜いたときにロール紙の重みで保持片が外側に開いてロール紙をアームの上に載置させるので、係員がロール紙を直に触れないで媒体供給部にロール紙を補充することができる。
【００２４】
また、ロール紙の重みにより収納部の外側に開く保持片は、その弾性によりロール紙を常に押しているのでロール紙を確実にアーム上に載置させるための案内として機能させることができる。
さらに、媒体供給部のガイド板に設けた位置決め部に、収納箱の嵌合サイド部の嵌合部を嵌合させて媒体供給部に収納箱を挿入するようにしたため、ロール紙を誤った向きで補充してしまうことを防止することができる。
【００２５】
加えて、蓋にロール紙を押さえる押さえ部を設けたことによって、蓋を組み付けたロール紙梱包箱を輸送したときの衝撃等で中のロール紙が変形したり巻き状態が崩れてしまうのを防止することができる。
なお、本実施例においては、自動取引装置のレシート発行機にロール紙を補充する場合を例に説明したが、ロール紙を利用するプリンタやファックス、発券機等の媒体処理装置のロール紙の補充に用いても上記と同様の効果を得ることができる。
【００２６】
また、本実施例においては、収納部を下に凸の略円孤面として説明したが、ロール紙を転がらないように載せることができる下に凸の多角形状の面としても上記と同様の効果を得ることができる。
また、本実施例においては、係止部材を面ファスナとして説明したが、収納箱にツメを設けて蓋に収納箱のツメを引っ掛けるための溝を設け、収納箱のツメを蓋の溝に引っ掛けて組み付けるようにしてもよい。
【００２７】
また、本実施例においては収納箱と蓋を樹脂材料により製作するとして説明したが、ダンボールにより製作してもよい。
また、本実施例においてはアームを２つ設けた媒体供給部に適用した場合について説明したが、アームを１つしか設けていない媒体供給部やアームを３つ以上設けた媒体供給部に適用し、そのアームの数に応じて収納箱の収納部の数を決めれば上記と同様の効果を得ることができる。
【図面の簡単な説明】
【００２８】
【図１】実施例のレシート発行機を示す概略構成図
【図２】実施例のレシート発行機を備えた自動取引装置を示すブロック図
【図３】実施例の媒体供給部を示す上面図
【図４】実施例のロール紙梱包箱を示す斜視図
【図５】実施例のロール紙梱包箱を側方から見た断面図
【図６】実施例の収納箱を側方から見た断面図
【図７】実施例の収納箱を設置した媒体供給部を側方から見た断面図
【図８】実施例の収納箱を設置した媒体供給部を上方から見た断面図
【符号の説明】
【００２９】
１    レシート発行機
２    発行機制御部
３    発行機記憶部
４    媒体繰出部
５、６  プーリ
７    ベルト
８    分離ガイド
９、１７ａ、１７ｂ    残留検知センサ
１０  媒体搬送路
１１  レシート印字部
１２  ロール紙切断部
１３  レシート排出口
１４  媒体供給部
１５ａ、１５ｂ  支点
１６ａ、１６ｂ  アーム
１８  自動取引装置
１９  主制御部
２０  主記憶部
２１  係員用表示操作部
２２  側面板
２３  ガイド板
２４  位置決め部
３０  ロール紙梱包箱
３１  収納箱
３２ａ、３２ｂ  収納部
３３ａ、３３ｂ、３４ａ、３４ｂ  保持片
３５  フロント面
３６  リア面
３７  サイド面
３８  嵌合サイド面
３９  嵌合部
４０  蓋
４１ａ、４１ｂ  押さえ部
４２  面ファスナ
【図１】
2006176298.tif 000003
【図２】
2006176298.tif 000004
【図３】
2006176298.tif 000005
【図４】
2006176298.tif 000006
【図５】
2006176298.tif 000007
【図６】
2006176298.tif 000008
【図７】
2006176298.tif 000009
【図８】
2006176298.tif 000010